(57)【要約】【課題】信頼性の高いケーブルコネクタを提供する。【解決手段】ケーブルコネクタが提供され、ケーブルコネクタは、内部に領域を定めるフレームを含む絶縁本体と、絶縁本体に固定されかつ領域内へ延びる複数の電気端子と、領域内で電気端子にそれぞれ電気接続される複数のケーブルとを備える。領域は、絶縁材で満たされて電気端子及びケーブルを埋め込む。ケーブルコネクタは比較的高い信頼性を有する。【選択図】図４
2017130444.tif 000002
【特許請求の範囲】
【請求項１】
内部に領域を定めるフレームを備える絶縁本体と、
前記絶縁本体に固定されかつ前記領域内に延びる複数の電気端子と、
前記領域内で前記電気端子にそれぞれ電気接続される複数のケーブルと、
を備えるケーブルコネクタであって、
前記領域は、前記電気端子及び前記ケーブルを埋め込むために絶縁材で満たされる、ケーブルコネクタ。
【請求項２】
前記領域に配置された少なくとも１つの電磁遮蔽素子をさらに備え、前記電磁遮蔽素子の２つの端子は、前記絶縁材に埋め込まれ、対応する前記電気端子にそれぞれ接続される、請求項１に記載のケーブルコネクタ。
【請求項３】
２つの対向するカバーをさらに備え、前記フレームは中空フレームであり、前記カバーは、前記フレームの２つの側面にそれぞれ結合されて前記絶縁材を保護するようになっている、請求項１又は２に記載のケーブルコネクタ。
【請求項４】
カバーをさらに備え、前記フレームは底部を有し、前記カバーは、前記フレームの上部側に固定されて前記絶縁材を保護するようになっている、請求項１又は２に記載のケーブルコネクタ。
【請求項５】
前記ケーブルの端部は、前記フレームの或る側面から対応する前記電気端子に溶着され、前記電磁遮蔽素子の前記端子は、前記フレームの別の側面から対応する前記電気端子に溶着される、請求項２から４のいずれかに記載のケーブルコネクタ。
【請求項６】
前記絶縁材は射出成形によって形成され、前記領域内で固化する、請求項１から４のいずれかに記載のケーブルコネクタ。
【請求項７】
前記絶縁本体は、対応するコネクタに結合するためにハウジングをさらに備え、前記電気端子の各々の一部は、前記ハウジングに埋め込まれる、請求項１から６のいずれかに記載のケーブルコネクタ。
【発明の詳細な説明】
【技術分野】
【０００１】
本発明は、ケーブルコネクタ、特に一体型ケーブルコネクタに関する。
【背景技術】
【０００２】
ケーブルコネクタは、自動車などの多くの技術分野で広く使用される。通常、ケーブルコネクタは、複数の電気端子を備えた絶縁本体と、対応する電気端子にそれぞれ溶着された複数のケーブルとを含む。当該ケーブルコネクタは、短絡が生じやすい。
【発明の概要】
【発明が解決しようとする課題】
【０００３】
従って、この問題を改善することができるケーブルコネクタに対する要望がある。
【課題を解決するための手段】
【０００４】
従って、本発明はケーブルコネクタを提供し、ケーブルコネクタは、内部に領域を定めるフレームを含む絶縁本体と、絶縁本体に固定されかつ領域内へ延びる複数の電気端子と、領域内で電気端子にそれぞれ電気的に接続された複数本のケーブルとを備える。領域は、絶縁材で満たされて電気端子及びケーブルを埋め込むようになっている。
【０００５】
上記ケーブルコネクタでは、絶縁材は、端子と内部に埋め込まれたケーブルとの間の有効かつ安定した電気的絶縁、及び水の浸入に対する有効な保護を実現でき、結果的に短絡の発生を低減する。
【０００６】
以下、本発明の好ましい実施形態は、添付図面の図面を参照して単なる例示として説明される。各図面において、２以上の図面に現れる同一の構造、要素又は部品は、一般的にそれらが現れる全ての図面において同じ符号が付される。各図面に示す構成要素の寸法及び機能は、一般的に、説明の便宜及び明確性のために選択されており必ずしも縮尺通りではない。
【図面の簡単な説明】
【０００７】
【図１】好ましい実施形態のケーブルコネクタの組立図である。
【図２】ケーブルと電気端子との間の接続を図１のケーブルコネクタの上部から示す。
【図３】ケーブルと電気端子との間の接続を図１のケーブルコネクタの底部から示す。
【図４】内部を示すために上部カバーを取り外した状態の図１のケーブルコネクタを示す。
【図５】図１のケーブルコネクタの側面図である。
【発明を実施するための形態】
【０００８】
本発明の実施形態の技術的解決法は、以下のように添付図面を参照して明確かつ完全に説明される。明らかに、以下に説明する実施形態は、本発明の実施形態の全てではなく単にその一部である。本開示の実施形態に基づき、当業者によって何らかの創造的努力なしに得られるあらゆる他の実施形態は本発明の保護範囲内に属する。
【０００９】
ある構成要素が別の構成要素に「固定される」と説明される場合、別の構成要素に直接固定することができること、又は中間の構成要素があってもよいことに留意されたい。ある構成要素が別の構成要素に「結合される」と説明される場合、別の構成要素に直接結合することができ、又は中間の構成要素があってもよい。ある構成要素が別の構成要素に「配置される」と説明される場合、別の構成要素上に直接配置することができ、又は中間の構成要素があってもよい。「垂直な」「水平な」「左の」「右の」又は同様の表現などの方向に関する用語は、例示のみを目的としている。
【００１０】
別段の定めがない限り、全ての技術用語及び科学用語は、当業者によって理解される通常の意味を有する。本開示において用いる用語は、限定的ではなく例示的である。本開示で用いられる用語「及び／又は」は、列挙された１又は２以上の関連する要素の各々の組合せ及び全ての組合せを含むことを意味する。
【００１１】
図１〜図４を参照すると、ケーブルコネクタ１０は、電気絶縁本体１１と、複数の電気端子１４、１５と、複数のケーブル１、２とを含む。電気端子１４、１５は、それぞれ絶縁本体１１に固定される。絶縁本体１１は、対応するコネクタに結合するハウジング１２と、フレーム１３とを含む。各電気端子は、ハウジング１２内に配置され、フレーム１３によって囲まれた領域１３１に広がる。電気端子１４、１５及び対応するケーブル１、２は、それぞれ領域１３１で接続される。領域１３１は絶縁材１８で満たされ、絶縁材１８は、射出成形によって形成され、領域１３１の中で固化して電気端子１４、１５、及びケーブル１、２を埋め込む。絶縁材１８の材料は合成樹脂とすることができる。
【００１２】
好ましくは、絶縁本体１１は成形プラスチック材料で作られている。電気端子１４、１５は、成形作業中に絶縁本体１１内に設けられる。電気端子１４、１５及び対応するケーブル１、２は溶着によって接続される。
【００１３】
ケーブルコネクタ１０は、フレーム１３によって囲まれた領域１３１に配置された電磁遮蔽素子１７をさらに含む。電磁遮蔽素子１７は、電磁妨害を低減できるコンデンサ、インダクタ、フェライト、又は他の構成要素とすることができる。電磁遮蔽素子１７の端子は、絶縁材１８内に埋め込まれ、対応する電気端子１４にそれぞれ接続する。好ましくは、保持体１７１は、フレーム１３から領域１３１に延びて、少なくとも１つの電磁遮蔽素子１７を保持する。電磁遮蔽素子１７の端子及び対応する電気端子１４の端子は、溶着によって接続される。
【００１４】
好都合には、絶縁材１８は、端子とそこに埋め込まれたケーブルとの間の有効かつ安定した電気絶縁及び水の浸入に対する有効な保護を実現し、結果的に短絡の発生を低減する。
【００１５】
図２を再び参照すると、ケーブル１、２の端部は、対応する電気端子１４、１５にフレーム１３の上部側から溶着される。図３を再び参照すると、電磁遮蔽素子１７の端子は、対応する電気端子１４にフレーム１３の底部側から溶着される。
【００１６】
実施形態では、フレーム１３は、中空フレームであり、実質的に長方形であり、好ましくはハウジング１２と一体に形成される。各電気端子の部分は、ハウジング１２に埋め込まれ、ハウジング１２によって互いに絶縁される。ケーブルコネクタ１０は、フレーム１３の上部側及び底部側にそれぞれ固定された、２つの対向するカバー２０をさらに含む。各カバー２０は、プラスチック材料で作られており絶縁材１８をカバーして保護することができる。
【００１７】
フレーム１３は、ケーブル１、２の伸長方向に垂直な第１の側壁１３ａ及び第２の側壁１３ｂと、ケーブル１、２の伸長方向に沿った第３の側壁１３ｃ及び第４の側壁１３ｄとを含む。カバーは、第３の側壁１３ｃ及び第４の側壁１３ｄの外側面上に配置された対応する保持構造２２に結合された、係合構造２１を有する。電気端子１４、１５は、第１の側壁１３ａを貫通して延びる。
【００１８】
好ましくは、複数の中間電気端子１５は、上部カバー２０から底部カバー２０までのフレーム１３の高さ方向でオーバラップするので、ハウジングのサイズを小さくすることができる。
【００１９】
実施形態では、絶縁本体１１は、ケーブル１、２が貫通できる複数の通路又は穴を備えた取付けプレート１３２をさらに含む。第２の側壁１３ｂは、取付けプレート１３２に嵌合するノッチを有する。別の実施形態では、取付けプレート１３２は、第２の側壁１３ｂと一体に形成することもできる。
【００２０】
図１〜図４を再び参照すると、記号Ｈは、複数の電気ケーブル１、２を示す。例示的な実施形態において、ケーブルＨの本数は４本であり、２本が電力ケーブルで２本が信号ケーブルであるが、ケーブルＨの本数は、他の実施形態では４本のケーブルに限定されない。
【００２１】
フレーム１３は、中空フレーム、長方形、又はハウジング１２と一体形成されたものに限定されないことを理解されたい。例えば、フレームは他の形状とすることができる。フレーム１３は底部を有し、ケーブルコネクタ１０は、フレーム１３の上部側に固定された１つのカバーのみを含むことができる。ハウジング１２は、フレーム１３とは別体で作ってこれに取り付けることができる。
【００２２】
本出願の説明及び請求項において、動詞「備える（ｃｏｍｐｒｉｓｅ）」、「含む（ｉｎｃｌｕｄｅ）」、「包含する（ｃｏｎｔａｉｎ）」、及び「有する（ｈａｖｅ）」、並びにその派生語は、記載された要素の存在を特定するために包括的な意味で使用されるが、追加の要素の存在を排除するものではない。
【００２３】
本発明は、１又は２以上の好ましい実施形態を参照して説明されるが、当業者であれば、種々の変更が可能であることを理解できるはずである。従って、本発明の範囲は、以下の特許請求の範囲を参照することによって決定される。
【符号の説明】
【００２４】
１、２、Ｈ  ケーブル
２  ケーブル
１０  ケーブルコネクタ
１１  絶縁本体
１２  ハウジング
１３  フレーム
１３ａ  第１の側壁
１３ｂ  第２の側壁
１３ｃ  第３の側壁
１３ｄ  第４の側壁
１４、１５  電気端子
１７  電磁遮蔽素子
１８  絶縁材
【図１】
2017130444.tif 000003
【図２】
2017130444.tif 000004
【図３】
2017130444.tif 000005
【図４】
2017130444.tif 000006
【図５】
2017130444.tif 000007
【外国語明細書】
2017130444000001.pdf